(57)【要約】【課題】  イベントの発生を確実かつ迅速に難聴者に通知でき、難聴者の生活を支援できる安価なシステムを提供する。【解決手段】  本発明の難聴者支援システム１００は、所定のセンシング事項を検出するセンサ５−１〜５−３と、センサ５−１〜５−３の検出信号を取得してセンシング事項に対応するコード信号を送信するアダプタ６−１〜６−３と、アダプタ６−１〜６−３から送信されたコード信号を受信して、センシング事項に対応するメッセージを送信するルータ７と、ルータ７から送信されたメッセージを振動モードで受信する携帯電話機２とを備える。【選択図】    図１
2005318097.tif 000002
【特許請求の範囲】
【請求項１】
所定のセンシング事項を検出する単数または複数のセンサと；
前記センサの検出信号を取得して前記センシング事項に対応するコード信号を送信するアダプタと；
前記アダプタから送信された前記コード信号を受信して、前記センシング事項に対応するメッセージを送信するルータと；
前記ルータから送信された前記メッセージを振動モードで受信する携帯電話機と；
を備える難聴者支援システム。
【請求項２】
前記メッセージはインターネットメール及び携帯電話メールを介して前記携帯電話機宛に送信される；
請求項１に記載の難聴者支援システム。
【請求項３】
前記アダプタは小電力無線アダプタである；
請求項１又は請求項２に記載の難聴者支援システム。
【請求項４】
前記アダプタから前記ルータへの送信にリード・ソロモン冗長符号化方式などの冗長符号化方式を用いる；
請求項３に記載の難聴者支援システム。
【請求項５】
前記アダプタと前記ルータとの間で複数の無線チャネルを持ち、前記無線チャネルのうちの空きチャネルを自動的に選択して送信可能である；
請求項３又は請求項４に記載の難聴者支援システム。
【請求項６】
所定のセンシング事項を検出するセンサの検出信号を取得して前記センシング事項に対応するコード信号をルータに送信するアダプタ。
【請求項７】
前記センシング事項と前記コード信号との対応表を記録した記録部を有する；
請求項６に記載のアダプタ。
【請求項８】
アダプタから送信されたセンシング事項に対応するコード信号を受信して、前記センシング事項に対応するメッセージを携帯電話機宛てに送信するルータ。
【請求項９】
前記コード信号と前記メッセージとの対応表を記録した記録部を有する；
請求項８に記載のルータ。
【請求項１０】
センサが所定のセンシング事項を検出する工程と；
アダプタが前記センサの検出信号を取得して前記センシング事項に対応するコード信号をルータに送信する工程と；
前記ルータが前記コード信号を受信して、前記センシング事項に対応するメッセージを携帯電話機宛てに送信する工程と；
前記携帯電話機が前記メッセージを振動モードで受信する工程と；
を備える難聴者支援方法。
【発明の詳細な説明】
【技術分野】
【０００１】
本発明は難聴者支援システムに関する。詳しくは、センサと通信手段とを用いて、難聴者にイベントの発生を通知する難聴者支援システムに関する。
【背景技術】
【０００２】
生活に係るイベントとして、訪問者が鳴らす呼び鈴、電話やファックスの着信、消防車や救急車等の緊急音、ガス漏れなどの各種検知器からの信号などがあるが、難聴者にとって、これら各種イベントを音で感知するのが困難である。そして、これらイベントの見落としは、難聴者、特に一人暮しの難聴者の日常生活を不便にするだけでなく、取り返しのつかない事態に至るおそれもある。
【０００３】
従来、火事等の緊急時や、来訪者の呼び鈴の鳴動、電話やＦＡＸの着信等のイベント発生を難聴者にフラッシュランプの点滅とディスプレイ表示で知らせる方式があった。（例えば特許文献１参照）
【特許文献１】特開２００３−９１７９２号公報（発明の実施の形態、図１〜図３）
【発明の開示】
【発明が解決しようとする課題】
【０００４】
しかしながら、従来の方式では、難聴者が物事に熱中していたり、明るい環境にいた場合等に見落としが生じたり、フラッシュランプを各部屋に設置する工事を要し、費用がかさむなどの問題があった。
【０００５】
他方、近年、通信基盤（インフラストラクチユア）が大いに発展し、インターネットや携帯電話メールなどが普及し、安価に使用できるようになった。
【０００６】
本発明は、これらの通信技術を用いて、イベントの発生を確実かつ迅速に難聴者に通知でき、難聴者の生活を支援できる安価な難聴者支援システムを提供することを目的とする。
【課題を解決するための手段】
【０００７】
上記課題を解決するために、請求項１に記載の難聴者支援システムは、例えば図１に示すように、所定のセンシング事項を検出する単数または複数のセンサ５（５−１〜５−３）と、センサ５の検出信号を取得してセンシング事項に対応するコード信号を送信するアダプタ６（６−１〜６−３）と、アダプタ６から送信されたコード信号を受信して、センシング事項に対応するメッセージを送信するルータ７と、ルータ７から送信されたメッセージを振動モードで受信する携帯電話機２とを備える。
【０００８】
ここにおいて所定のセンシング事項とは、センサ５が検出するよう予定された事項（イベント）をいう。また、携帯電話機２は振動で着信を通知する機能を要するが、信号音や音楽で着信を通知する機能を兼ねていても良い。このように構成すると、センサ５とアダプタ６、ルータ７、携帯電話機２などの通信手段とを用いて、振動とメッセージの組み合わせにより、各種イベントの発生、すなわち、所定のセンシング事項を確実かつ迅速に難聴者に通知し、難聴者の生活を支援できる安価な難聴者支援システムを提供できる。
【０００９】
また、請求項２に記載の発明は、請求項１に記載の難聴者支援システムにおいて、例えば図１に示すように、メッセージはインターネットメール８及び携帯電話メール１０を介して携帯電話機２宛に送信される。このように構成すると、既成の通信ネットワークを利用して、確実かつ安価にメッセージを伝達できる。
【００１０】
また、請求項３に記載の発明は、請求項１又は請求項２に記載の難聴者支援システムにおいて、例えば図２に示すように、アダプタ６は小電力無線アダプタである。このように構成すると、難聴者への通信経路に小電力無線通信を利用するので、無線局の免許が不要にでき、また、隣家との混信を少なくできる。
【００１１】
また、請求項４に記載の発明は、請求項３に記載の難聴者支援システムにおいて、アダプタ６からルータ７への送信にリード・ソロモン冗長符号化方式などの冗長符号化方式を用いる。このように構成すると、通信信号の誤り訂正が自動的に行なわれ、例えば小電力によりノイズに隠れてしまった信号を救済でき、また、ルータ７への伝達距離を長くできるメリットがある。
【００１２】
また、請求項５に記載の発明は、請求項３又は請求項４に記載の難聴者支援システムにおいて、アダプタ６とルータ７との間で複数の無線チャネルを持ち、無線チャネルのうちの空きチャネルを自動的に選択して送信可能である。このように構成すると、効率的にチャネルを選択でき、迅速にイベントを難聴者に通知できる。
【００１３】
また、請求項６に記載のアダプタ６は、例えば図２に示すように、所定のセンシング事項を検出するセンサ５の検出信号を取得してセンシング事項に対応するコード信号をルータ７に送信する。このように構成すると、イベント（センシング事項）対応にその発生を確実にルータ７に伝達でき、また、アダプタ６のメモリ量を少なくできる。
【００１４】
また、請求項７に記載の発明は、請求項６に記載のアダプタ６において、センシング事項とコード信号との対応表を記録した記録部を有する。このように構成すると、イベント（センシング事項）とコード信号との対応関係を明確にでき、通信の信頼性を向上できる。
【００１５】
また、請求項８に記載のルータ７は、例えば図２に示すように、アダプタ６から送信されたセンシング事項に対応するコード信号を受信して、センシング事項に対応するメッセージを携帯電話機２宛てに送信する。このように構成すると、イベント（センシング事項）対応に適切なメッセージを確実に携帯電話機に通知でき、また、メッセージの管理を全てルータ７で行なうことができる。
【００１６】
また、請求項９に記載の発明は、請求項８に記載のルータ７において、コード信号とメッセージとの対応表を記録した記録部を有する。このように構成すると、イベント（センシング事項）対応のコード信号とメッセージとの対応関係を明確にでき、通信の信頼性を向上できる。
【００１７】
また、請求項１０に記載の難聴者支援方法は、例えば図３に示すように、センサ５が所定のセンシング事項を検出する工程（ステップＳ００２）と、アダプタ６がセンサ５の検出信号を取得してセンシング事項に対応するコード信号をルータ７に送信する工程（ステップＳ００４、ステップＳ００６）と、ルータ７がコード信号を受信して、センシング事項に対応するメッセージを携帯電話機２宛てに送信する工程（ステップＳ００７、ステップＳ００９）と、携帯電話機２がメッセージを振動モードで受信する工程（ステップＳ０１１）とを備える。
【００１８】
このように構成すると、センサ５とアダプタ６、ルータ７、携帯電話機２などの通信手段とを用いて、振動とメッセージの組み合わせにより、各種イベントの発生、すなわち、所定のセンシング事項を確実かつ迅速に難聴者に通知できる難聴者支援方法を実現できる。
【発明の効果】
【００１９】
本発明によれば、センサとアダプタ、ルータ、携帯電話機などの通信手段とを用いて、振動とメッセージの組み合わせにより、イベントの発生を確実かつ迅速に難聴者に通知でき、難聴者の生活を支援できる安価な難聴者支援システムを提供することができる。
【発明を実施するための最良の形態】
【００２０】
以下に図面に基づき本発明の実施の形態について説明する。
【００２１】
図１に、本発明の実施の形態による難聴者支援システム１００の構成例を概略的に示す。
図１において、難聴者１は振動モード（着信を振動で所有者に伝達する）で受信可能な携帯電話機２を所持して、家屋３内で生活している。生活を営む上で、訪問者が鳴らす呼び鈴、電話、ファックスの着信、消防車、救急車等の緊急音、ガス漏れなどの各種検知器からの信号などのイベントが発生するが、難聴者にとって、これら各種イベントを音で感知するのが困難である。
【００２２】
そのため、これらの所定のセンシング事項（イベント）を感知する各種センサ５−１〜５−３を屋内の適当な場所に配置し、各種イベントを各種センサ５−１〜５−３が検出する。例えば、訪問者が玄関の呼び鈴４−１を押すと、第１のセンサ５−１が呼び鈴の押下（所定のセンシング事項）を検出する。また、救急車４−２がサイレンを鳴らすと、第２のセンサ５−２が救急車のサイレン（所定のセンシング事項）を検出する。また、電話機４−３のベルが着信音を発すると、第３のセンサ５−３が電話の着信（所定のセンシング事項）を検出する。センサ５（５−１〜５−３）は検出信号をアダプタ６（６−１〜６−３）に送信し、アダプタ６はセンサ５の検出信号を取得して、センシング事項（イベント）に対応するコード信号をルータ７に送信する。ルータ７は、アダプタ６から送信されたコード信号を受信して、センシング事項に対応するメッセージを携帯電話機２宛てに送信する。携帯電話機２は、ルータ７から送信されたメッセージを振動モードで受信し、難聴者１に着信を振動で通知する。
【００２３】
図２に本実施の形態による難聴者支援システム１００のうち、アダプタ６とルータ７の部分をクローズアップして示す。
各センサ５−１〜５−Ｎは、呼び鈴の押下、ファックスや電話機の着信、風呂の湧いた温度、ガス漏れ、生活音、警報音などを検知する。例えば、呼び鈴については、その押下信号を電気的に検出しても良く、呼鈴音を検出しても良い。ファックス、電話機については着信信号を電気的に検出しても良く、着信音を検出しても良く、また、着信音をボイスレコーダに記録し、予め登録してある音と比較して音源、すなわちファックス、電話機の着信を判断しても良い。風呂については温度を、ガス漏れについてはガスを検出した検出信号を電気的に検出しても良く、「お風呂が沸きました」、「ガスが漏れています」とのアナウンス音を検出しても良く、また、これらのアナウンス音をボイスレコーダに記録し、予め登録してある音と比較して音源、すなわちこれらのイベントの発生を判断しても良い。赤ちゃんの泣き声などの生活音、救急車などの警報音もボイスレコーダに記録し、予め登録してある音と比較して音源、すなわちこれらのイベントの発生を判断しても良い。
【００２４】
各センサ５−１〜５−Ｎは、単独のイベントを検出しても良く、複数のイベントを検出しても良い。センサ５がボイスレコードを有するような場合には、複数のイベントを検出でき、複数のイベントに対するセンサとして機能できる。この場合、予め登録してある音により、センシングしたイベントを区別して検出信号を送信可能である。
【００２５】
センサ５はアダプタ６に内蔵されていても良く、搭載されていても良く、離れた位置に設置され、有線や無線でアダプタ６に通信接続されても良い。
【００２６】
センサ５は、所定のセンシング事項（イベント）を検出すると、検出信号をアダプタ６に送信する。本実施の形態では、アダプタ６−１〜６―Ｎとして小電力無線アダプタを用いることとする。アダプタ６に小電力無線を使用することにより、無線免許が不要でその設置が容易である。また、リード・ソロモン冗長符号化方式等の誤り訂正可能な方式を用いることにより、例えば小電力によりノイズに隠れてしまった信号を救済でき、ルータ７への伝達距離を長くすることができる。
【００２７】
例えば、第１のセンサ５−１が呼び鈴４−１の押下を検出すると、第１の小電力無線アダプタ６−１に呼び鈴押下の検出信号を送信する。第２のセンサ５−２が救急車４−２のサイレンを検出すると、第２の小電力無線アダプタ６−２に救急車のサイレンの検出信号を送信する。第３のセンサ５−３が電話機４−３への着信を検出すると、第３の小電力無線アダプタ６−３に電話着信の検出信号を送信する。
【００２８】
各小電力無線アダプタ６−１〜６―Ｎは、内蔵メモリや外付けの記憶装置などの記録部に、各センシング事項（イベント）とコード信号との対応関係を記録したイベントーコード信号対応表を持つ。各小電力無線アダプタ６−１〜６―Ｎは、それぞれ、各種センサ５−１〜５−Ｎの検出信号を取得すると、イベント−コード信号対応表を参照して、各センシング事項に対応するコード信号を選択し、ルータ７に送信する。例えば、第１の小電力無線アダプタ６−１は、第１のセンサ５−１から呼び鈴押下の検出信号を受信すると、ルータ７に呼び鈴押下に対応するコード信号を送信する。第２の小電力無線アダプタ６−２は、第２のセンサ５−２からの救急車のサイレンの検出信号を受信すると、ルータ７に救急車のサイレンに対応するコード信号を送信する。第３の小電力無線アダプタ６−３は、第３のセンサ５−３からの電話着信の検出信号を受信すると、ルータ７に電話着信に対応するコード信号を送信する。
【００２９】
ルータ７はシステム用ルータ７Ａとルータ用アダプタ７Ｂで構成され、ルータ用アダプタ７Ｂは小電力無線アダプタ６−１〜６−Ｎから送信されたコード信号を受信してシステム用ルータ７Ａに伝達する。ルータ用アダプタ７Ｂは複数の小電力無線アダプタ６−１〜６−Ｎとの無線チャネルの設定を行う。なお、ルータ用アダプタ７Ｂとして前述の小電力無線アダプタを使用できる。
【００３０】
システム用ルータ７Ａとして既存の小型ルータを使用できる。本実施の形態では、難聴者支援システムで使用する機能に特化すれば、ルータ７の規模を小さくできるので、ルータ７をミニルータと称することとする。すなわち、ミニルータ７はアダプタ６から送信されたコード信号を受信する機能と、コード信号をセンシング事項に対応するメッセージに変換する機能と、予め設定された携帯電話機２のメールアドレスを用いてメッセージを送信できる機能を有する。さらに、ミニルータ７に、インターネット回線を介して初期設定ができるなど、メンテナンスフリーを指向する機能を付加しても良い。なお、システム用ルータ７Ａとして既存のルータを利用する形態の場合は、ルータ用アダプタ７Ｂは標準化されたネットワークインターフェースでシステム用ルータ７Ａと接続するのが好ましい。
【００３１】
システム用ルータ７Ａは、内蔵メモリや外付けの記憶装置などの記録部にコード信号とメッセージとの対応関係を記録したコード信号−メッセージ対応表を有する。システム用ルータ７Ａは、コード信号−メッセージ対応表を参照して、ルータ用アダプタ７Ｂが各小電力無線アダプタ６−１〜６−Ｎから受信したコード信号に対応するメッセージを選択し、難聴者１所有の携帯電話機２宛に送信する。コード信号はセンシング事項に対応するので、センシング事項に対応したメッセージを送信することになる。
【００３２】
難聴者１所有の携帯電話機２の宛先は予めシステム用ルータ７Ａの記憶部などに登録され、イベントの発生からメッセージの送信までを自動化できる。システム用ルータ７Ａは、コード信号−メッセージ対応表を参照することにより、ルータ用アダプタ７Ｂが受信したコード信号を直ちに対応するメッセージに変換できる。例えば、小電力無線アダプタ６−１〜６―３のコード信号を、それぞれ、コード信号−メッセージ対応表に予め登録された、「玄関の呼び鈴が鳴っています」、「救急車が来ました」、「電話のベルが鳴っています」などのメッセージに変換する。システム用ルータ７Ａは、変換されたメッセージを難聴者１所有の携帯電話機２宛に送信する。このように、ルータ７は複数のアダプタ６−１〜６−Ｎから送信されたコード信号を受信して、センシング事項に対応するメッセージを自動的に送信する。
【００３３】
アダプタ６が送信するコード信号は、システム用ルータ７Ａのコード信号−メッセージ対応表に登録されたメッセージのいずれかに対応する。１つのイベントに対してシステム用ルータ７Ａのメッセージを複数（例えば、「呼び鈴が鳴っています」、「来訪者があります」、「誰かが玄関にいます」など表現を変えたものなど）用意することも可能である。この場合、コード信号−メッセージ対応表にはこれらのうちからユーザが好みのメッセージを選択して登録してもよく、コード信号−メッセージ対応表には複数のコード信号と複数のメッセージを登録し、ユーザが好むメッセージに対応するコード信号を選択して、イベントーコード信号対応表に登録しても良い。これらの選択は外部スイッチ等で選択できるようにしても良い。
【００３４】
各小電力無線アダプタ６−１〜６−Ｎとルータ用アダプタ７Ｂとの間で無線チャネルを複数持ち、小電力無線アダプタ６−１〜６−Ｎは空きチャネルを自動的に選択して、ルータ用アダプタ７Ｂに送信できる。例えば、無線ＬＡＮ用に５ＧＨｚ帯で、チャネル選択機能（５／１０／２０ＭＨｚ）を有するものが開発されており、このチャネルの選択機能をプログラム化して各小電力無線アダプタ６−１〜６−Ｎ及びルータ用アダプタ７Ｂに実行させることで、各小電力無線アダプタ６−１〜６−Ｎとルータ用アダプタ７Ｂ間での空きチャネルの自動的な選択が可能になる。なお、プログラムは、例えば、各小電力無線アダプタ６−１〜６−Ｎ及びルータ用アダプタ７Ｂの内蔵メモリに記録しておけば良い。
【００３５】
小電力無線アダプタ６−１〜６−Ｎとルータ用アダプタ７Ｂとは、例えば、リード・ソロモン冗長符号化方式などの冗長符号化方式を適用した通信を行なうことが望ましい。リード・ソロモン冗長符号化方式では、通信符号の誤りを訂正できるよう、訂正用の符号を付加して、すなわち、冗長符号化して送受信するので、誤り訂正が自動的に行なわれ、例えば小電力によりノイズに隠れてしまった信号を救済でき、通信可能距離を延長することができる。
【００３６】
再び図１に戻る。システム用ルータ７Ａは所定のセンシング事項（イベント）に対応するメッセージをインターネットメール８として、インターネットの常時接続（ＡＤＳＬ等）回線を経由してネットワークの既存サーバ９（例えばプロバイダが加入者に提供するサーバ）に送信し、既存サーバ９はインターネットメール８を携帯電話メール１０に変換して難聴者１の所持する携帯電話機２に送信する。携帯電話メール１０を受信した携帯電話機２は振動で難聴者１に着信を伝える。携帯電話メール１０の着信を知った難聴者１は、携帯電話メール１０を開いて、例えば「玄関の呼び鈴が鳴っています」、「救急車が来ました」、「電話のベルが鳴っています」などのメールを読んで、呼び鈴４−１の押下、救急車４−２のサイレン、電話機４−３への着信などの所定のセンシング事項（イベント）を知ることができる。
【００３７】
携帯電話メール１０はほぼリアルタイムに伝達される。また、インターネットメール８はＡＤＳＬ回線、光回線、ＣＡＴＶ回線、公衆無線回線のいずれを用いても良い。
【００３８】
図３に本実施の形態による難聴者支援方法の処理フロー例を示す。例として、「呼び鈴」のケースを示す。なお、符号については図１を参照されたい。
例えば、訪問者が呼び鈴４−１を押下するなどのイベント（所定のセンシング事項）が発生する（ステップＳ００１）と、第１のセンサ５−１が呼び鈴の押下（センシング事項）を検出する（ステップＳ００２）。第１のセンサ５−１は検出信号を第１の小電力無線アダプタ（アダプタ）６−１に送信する（ステップＳ００３）。
【００３９】
第１の小電力無線アダプタ６−１は、第１のセンサ５−１の検出信号を取得して（ステップＳ００４）、イベント（センシング事項）に対応するコード信号を記憶部に記録されたセンシング事項−コード信号対応表から選択し（ステップＳ００５）、選択したコード信号をミニルータ（ルータ）７に、例えば小電力無線通信にて送信する（ステップＳ００６）。第１の小電力無線アダプタ６−１とミニルータ７間の無線通信に載せるデータ信号には、例えば、符号誤り対策としてリード・ソロモン冗長符号化方式などが用いられる。
【００４０】
ミニルータ７は、コード信号を受信し（ステップＳ００７）、受信したコード信号に対応するメッセージを記憶部に記録されたコード信号―メッセージ対応表から選択し（ステップＳ００８）、選択したメッセージをインターネットを介して、あらかじめ登録してある該難聴者所有の携帯電話２宛に自動的にメールする（ステップＳ００９）。インターネットメール８は、既存サーバ９で携帯電話メール１０に変換され（ステップＳ０１０）、難聴者１の携帯電話機２に伝えられる。難聴者１の携帯電話機２はメールの着信を振動モードで受け、難聴者１に振動で知らせる（ステップＳ０１１）。難聴者１は、携帯電話メール１０を開いて、メッセージを読む（ステップＳ０１２）ことにより訪問者の呼び鈴押下などのイベントの発生を知る（ステップＳ０１３）ことができる。
【００４１】
また、呼び鈴押下以外のイベント（センシング事項）に対しても、他のセンサと他の小電力無線アダプタとを用いて、同様の手順で、難聴者に救急車のサイレン、電話の着信などの所定のセンシング事項（イベント）を知らせることができる。
【００４２】
以上説明したように、本実施の形態によれば、センサとアダプタ、ルータ、携帯電話機などの通信手段とを用いて、振動とメッセージの組み合わせにより、イベントの発生を確実かつ迅速に難聴者に通知し、難聴者の生活を支援できる難聴者支援システムを提供することができる。
【００４３】
また、難聴者が、携帯電話、アダプタ、ミニサーバ、ＡＤＳＬ回線などを初期投資（身障者補助金など）で購入・設置すれば、その後の維持費はわずかであり、安価な難聴者支援システムを提供する。また、いろいろなことに熱中していても、身につけた携帯電話の振動で、出来事を感知し、対応できる。また、フラッシュランプを各部屋に設置する必要がなく、またイベントの内容がメールで詳しく読み取れる。また、明るい環境での見落としなどの問題も解決される。さらに、各種緊急状態（救急車、消防車、非常事態の警告音）の感知が可能で、難聴者の生活安全が確保できる。また、インターネットと携帯電話のメール機能を組み合わせると、既成の通信ネットワークを利用して、確実かつ安価にメッセージを伝達できる。
【００４４】
以上、本発明の実施の形態について説明したが、本発明は上記の実施の形態に限定されるものではなく、本発明の趣旨を逸脱しない範囲で、実施の形態に種々変更を加えられることは明白である。
【００４５】
例えば、本実施の形態では、ルータから携帯電話機へのメッセージをインターネットメールと携帯電話メールを用いて送信する例を説明したが、ルータから携帯電話ネットワークを用いて、或いは無線ＬＡＮを用いて、或いは直接携帯電話機への無線通信により携帯電話メールを送信するなど、他の通信手段を用いて送信しても良い。
【００４６】
また、例えば、本実施の形態では、アダプタに小電力無線アダプタを用い、ルータにミニルータを用いる例を説明したが、通常のアダプタやルータを用いても良く、大型のアダプタやルータを用いても良い。
【００４７】
また、センサは複数のイベントをセンシングしても良い。この場合は、センサからの検出信号及びアダプタからのコード信号を複数とし、区別して用いる必要がある。また、１つのアダプタで複数のセンサからの検出信号を受信しても良い。この場合もアダプタからのコード信号を複数とし、区別して用いる必要がある。また、１つのシステム用ルータに複数のルータ用アダプタを用いて、小電力無線アダプタをグループ分けして受信しても良い。また、複数の難聴者が施設など、同じ場所で生活している場合には、各人の携帯電話機に同じメッセージを送信するようにしても良い。また安全のため及び電話中でもメールを受信できるようにルータ及び携帯電話機を二重化しても良い。
【００４８】
また、携帯電話機の振動モードでメッセージを受信する例を説明したが、電話機の子機やＩＰ電話の受話器に振動モードを取り入れて携帯電話機代わりに用いても良い。
【産業上の利用可能性】
【００４９】
本発明は、難聴者への生活音や非常事態の通知など、難聴者の支援に利用される。
【図面の簡単な説明】
【００５０】
【図１】本発明の実施の形態による難聴者支援システムの構成例を示す図である。
【図２】難聴者支援システムのうち、アダプタとルータの部分をクローズアップして示す図である。
【図３】本実施の形態による難聴者支援方法の処理フロー例を示す図である。
【符号の説明】
【００５１】
１    難聴者
２    携帯電話機
３    家屋
４−１  呼び鈴
４−２  救急車
４−３  電話機
５    センサ
５−１  第１のセンサ
５−２  第２のセンサ
５−３  第３のセンサ
６    小電力無線アダプタ（アダプタ）
６−１  第１の小電力無線アダプタ
６−２  第２の小電力無線アダプタ
６−３  第３の小電力無線アダプタ
７    ミニルータ（ルータ）
７Ａ  システム用ルータ
７Ｂ  ルータ用アダプタ
８    インターネットメール
９    既存サーバ
１０  携帯電話メール
１００  難聴者支援システム
【図１】
2005318097.tif 000003
【図２】
2005318097.tif 000004
【図３】
2005318097.tif 000005